(57)【特許請求の範囲】
【請求項１】
目地部を介して設けられた一方の躯体の上面よりも上部に位置する部位の他方の躯体の外壁面に形成された目地部を覆う突出躯体と、前記一方の躯体の目地部側の上部に先端部が下方へ回動可能に取付けられたステップ板と、このステップ板を常時ほぼ水平状態に保持でき、前記目地部が狭くなると該ステップ板の先端部を下方へ回動可能に支持するステップ板支持機構と、このステップ板支持機構のステップ板をほぼ水平状態に保持する状態をロックするとともに、前記目地部が狭くなると前記他方の目地部側の躯体とステップ板が当接する前に当接するセンサーレバーの作動により前記ロック状態を解除するロック機構とからなることを特徴とする目地装置。
【請求項２】
目地部を介して設けられた一方の躯体の上面よりも上部に位置する部位の他方の躯体の外壁面に形成された目地部を覆う突出躯体と、前記一方の躯体の目地部側の上部にヒンジ部材を介して先端部が下方へ回動可能に取付けられたステップ板と、このステップ板を常時ほぼ水平状態に保持でき、前記目地部が狭くなると該ステップ板の先端部を下方へ回動可能に支持するステップ板の下部位置の前記一方の躯体にほぼ水平に固定された支持レール、この支持レールに沿ってスライド移動するスライドレール、このスライドレールに継手を介して下端部が取付けられ、他端部が継手を介して前記ステップ板の先端部寄りの部位に取付けられた傾斜状態の複数個の支持アームおよび前記ステップ板がほぼ水平状態となるように前記スライドレールを付勢する付勢スプリングとからなるステップ板支持機構と、このステップ板支持機構のステップ板をほぼ水平状態に保持する状態をロックするとともに、前記目地部が狭くなると前記他方の目地部側の躯体と当接することにより前記ロック状態を解除する前記ステップ板の先端部より先端部が突出し、他方の目地部側の躯体と当接すると下方へ回動するセンサーレバー、このセンサーレバーの後端部に取付けられた作動杆、この作動杆の先端部に取付けられた前記スライドレールよりも上部位置に固定されたガイド筒のガイドによって上下移動するロック片およびこのロック片と前記ステップ板がほぼ水平状態に保持されている状態で係止される、前記スライドレールに固定されたクサビ状の係止片とからなるロック機構とからなることを特徴とする目地装置。
【発明の詳細な説明】
【０００１】
【発明の属する技術分野】
本発明は目地部を突出躯体で覆うことができる部位の目地装置に関する。
【０００２】
【従来の技術】
従来、この種の目地装置は目地部の上部を伸縮可能に覆う目地プレートを使用する構造のものが使用されている。
【０００３】
【発明が解決しようとする課題】
従来の伸縮可能な目地プレートを用いる目地装置は、左右の躯体の最大の揺れ動き量を目地部の幅寸法のほぼ半分にしか設定できず、大きな揺れ動き量を設定している免震ビル等には目地部の幅寸法を大きく設定しなければ使用できないという欠点があるとともに、大型化し、コスト高になるという欠点があった。
【０００４】
本発明は以上のような従来の欠点に鑑み、大きな揺れ動きが生じても、目地部が開口することなく覆うことができるとともに、目地部のほぼ半分の幅寸法のステップ板で覆うことができる、小型コンパクトな目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して設けられた一方の躯体の上面よりも上部に位置する部位の他方の躯体の外壁面に形成された目地部を覆う突出躯体と、前記一方の躯体の目地部側の上部に先端部が下方へ回動可能に取付けられたステップ板と、このステップ板を常時ほぼ水平状態に保持でき、前記目地部が狭くなると該ステップ板の先端部を下方へ回動可能に支持するステップ板支持機構と、このステップ板支持機構のステップ板をほぼ水平状態に保持する状態をロックするとともに、前記目地部が狭くなると前記他方の目地部側の躯体とステップ板が当接する前に当接するセンサーレバーの作動により前記ロック状態を解除するロック機構とで目地装置を構成している。
【０００７】
【発明の実施の形態】
以下、図面に示す実施の形態より、本発明を詳細に説明する。
【０００８】
図１ないし図９に示す本発明の第１の実施の形態において、１は目地部２を介して建てられた、道路やよう壁等の一方の躯体３の上面と他方の躯体４の外壁面４ａとの間の目地部２の上部を覆う本発明の目地装置で、この目地装置１は前記一方の躯体３の上面よりも上部に位置する部位の地方の躯体４の外壁面４ａに形成された、前記目地部２の全部あるいは前記一方の躯体３側を除く部位を覆うベランダや庇状の突出躯体５と、前記一方の躯体３の目地部側の上部にヒンジ部材６を介して先端部が下方へ回動可能に取付けられたステップ板７と、このステップ板７を常時ほぼ水平状態に保持でき、前記目地部２が狭くなると該ステップ板７の先端部を下方へ回動可能に支持するステップ板支持機構８と、このステップ板支持機構８のステップ板７をほぼ水平状態に保持する状態をロックするとともに、前記目地部２が狭くなると前記他方の目地部側の躯体４と当接して前記ロック状態を解除するロック機構９とで構成されている。
【０００９】
前記ステップ板７は図４に示すように、前記目地部２の幅寸法の半分以上の幅寸法の金属板で形成された、ほぼ中央部の後端部を除く部位に切欠部１０を有するステップ板本体１１と、このステップ板本体１１の底面に溶接等によって固定された、該ステップ板本体１１の切欠部１０と対応する部位に開口部１２を有する補強フレーム１３とで構成されている。
【００１０】
前記ステップ板支持機構８は図５に示すように、前記ステップ板７の下部位置の前記一方の躯体３にほぼ水平に複数本のビス１４等によって固定された支持レール１５と、この支持レール１５に沿ってスライド移動する複数個のローラー１６が備えられたスライドレール１７と、このスライドレール１７に自在継手１８を介して下端部が取付けられ、上端部が自在継手１９を介して前記ステップ板７の先端部寄りの部位に取付けられた、ほぼ４５度の傾斜状態の複数個の支持アーム２０、２０、２０、２０と、前記ステップ板７がほぼ水平状態となるように前記スライドレール１７を付勢する付勢スプリング２１とで構成されている。
【００１１】
前記ロック機構９は図６に示すように、前記ステップ板７の切欠部１０および開口部１２に該ステップ板７の先端部より先端部が外方へ突出し、他方の目地部側の躯体４と当接すると下方へ回動する枢支ピン２２で回動可能に取付けられたへ字状のセンサーレバー２３と、このセンサーレバー２３の後端部に取付けられた、前記一方の目地部側の躯体３の上部に固定されたガイド部材２４を介して吊り下げられたワイヤー等の作動杆２５と、この作動杆２５の先端部に取付けられた前記スライドレール１７よりも上部位置の一方の目地部側の躯体３に固定されたガイド筒２６のガイドによって上下移動する重り兼用のロック片２７と、このロック片２７と前記ステップ板７がほぼ水平状態に保持されている状態で係止される、前記スライドレール１７に固定された係止部２８とガイド部２９を有するクサビ状の係止片３０とで構成されている。
【００１２】
上記構成の目地装置１は、通常状態では目地部２の上部を他方の躯体４の外壁面４ａに固定された突出躯体５によって覆われている。
【００１３】
地震等によって目地部２の幅寸法が大きくなった場合には、図７に示すように他方の躯体４の外壁面４ａに固定された突出躯体５の先端部５ａが目地部２内に位置するが、ステップ板７がロック機構９の係止片３０の係止部２８とロック片２７とか係止された状態になっているため、ステップ板７に荷重が加わっても回動することなく、目地部２を覆った状態を保つ。
【００１４】
地震等によって目地部２の幅寸法が小さくなった場合には、先ず図８に示すようにロック機構９のセンサーレバー２３の先端に備えたローラ２３ａが他方の目地部側の躯体４に当接すると、該センサーレバー２３の先端は枢支ピン２２を支点に下方へ回動されるとともに、後端部が上方へ回動され、該部に備えたローラ２３ｂが突出躯体５の裏面に当接する。
この時、作動杆２５を介してロック片２７を上方へ移動し、該ロック片２７の上方への移動によって、係止片３０とのロック状態が解除され、ステップ板７の先端部は下方へ回動する。
前記ステップ板７の初期の回動においては、センサーレバー２３の後端に備えたローラ２３ｂが突出躯体５の裏面に当接していることにより、該センサーレバー２３が梃子のように作用して、ステップ板７の押し下げをスムーズに行う効果がある。
【００１５】
このステップ板７の回動によって複数個の支持アーム２０、２０、２０、２０が下方へ押し付けられるため、図９に示すようにスライドレール１７を付勢スプリング２１の付勢力に抗してスライド移動させてステップ板７の回動を可能にする。
【００１６】
目地部２が元の寸法に戻ろうとすると、付勢スプリング２１の付勢力によってスライドレール１７がスライド移動して、ステップ板７をほぼ水平状態に位置させる。この時、ロック機構９のロック片２７は係止片３０のガイド部２９を通過して係止部２８と係止される。
【００１７】
【発明の異なる実施の形態】
次に、図１０ないし図２２に示す本発明の異なる実施の形態につき説明する。なお、これらの本発明の異なる実施の形態の説明に当って、前記本発明の第１の実施の形態と同一構成部分には同一符号を付して重複する説明を省略する。
【００１８】
図１０ないし図１２に示す本発明の第２の実施の形態において、前記本発明の第１の実施の形態と主に異なる点は、他方の目地部側の躯体４に当接するとスムーズにステップ板７Ａの先端部が下方へ回動するように、該ステップ板７Ａを取付けているヒンジ部材６の枢支部よりも下方に位置する部位にローラー３１を取付けた点で、このように形成したステップ板７Ａを用いて構成した目地装置１Ａにしても、前記本発明の第１の実施の形態と同様な作用効果が得られるとともに、確実にステップ板７Ａを回動させることができる。
なお、本発明の実施の形態ではローラー３１に代え、ステップ板７Ａの先端部を弧状に形成したり、ステップ板の先端部に下方へ突出するガイド板を設けても同様な作用効果が得られる。
【００１９】
図１３ないし図１５に示す本発明の第３の実施の形態において、前記本発明の第１の実施の形態と主に異なる点は、切欠部や開口部のないステップ板７Ｂを用いるとともに、該ステップ板７Ｂの先端寄りの部位に固定された支持部材３２に枢支ピン３３で回動可能にセンサーレバー２３を取付けた点で、このように構成した目地装置１Ｂにしても、前記本発明の第１の実施の形態と同様な作用効果が得られるとともに、ステップ板７Ｂの美観の向上と、簡単な構造にすることができる。
【００２０】
図１６ないし図１９に示す本発明の第４の実施の形態において、前記本発明の第３の実施の形態と主に異なる点は、ステップ板７Ｂの先端部寄りの部位に継手３４を介して上端部が取付けられた複数本の支持アーム２０、２０、２０、２０の下端部を上下移動可能にガイド部材３５に取付けるとともに、該複数本の支持アーム２０、２０、２０、２０の下端部を常時上方へ付勢する付勢スプリング３６を用いたステップ板支持機構８Ａと、このステップ板支持機構８Ａの複数本の支持アーム２０、２０、２０、２０の下部に取付けられたロックバー３７が上部に位置した状態をロックする、一方の躯体３に固定された支持金具３８に回動可能に取付けられたロック片２７Ａを用いたロック機構９Ａとを用いた点で、このように構成した目地装置１Ｃにしても、前記本発明の第３の実施の形態と同様な作用効果が得られる
【００２１】
図２０ないし図２２に示す本発明の第５の実施の形態において、前記本発明の第１の実施の形態と主に異なる点は、中央部で直線状態となるように枢支ピン３９で枢支された複数本の支持アーム２０Ａ、２０Ａ、２０Ａ、２０Ａと、この複数本の支持アーム２０Ａ、２０Ａ、２０Ａ、２０Ａが常時直線状態となるように付勢する付勢スプリング４０、４０、４０、４０を用いたステップ板支持機構８Ｂと、このステップ板支持機構８Ｂの付勢スプリング４０、４０、４０、４０の付勢力に抗して複数本の支持アーム２０Ａ、２０Ａ、２０Ａ、２０Ａを中央部より折り曲げるようにガイド部材４１、４１、４１、４１を介して引張るセンサーレバー２３の後端部に取付けられた作動杆４２、４２、４２、４２を用いたロック機構９Ｂを用いた点で、このように構成した目地装置１Ｄにしても、前記本発明の第１の実施の形態と同様な作用効果が得られる。
【００２２】
【発明の効果】
以上の説明から明らかなように、本発明にあっては次に列挙する効果が得られる。
【００２３】
（１）目地部を介して設けられた一方の躯体の上面よりも上部に位置する部位の他方の躯体の外壁面に形成された目地部を覆う突出躯体と、前記一方の躯体の目地部側の上部に先端部が下方へ回動可能に取付けられたステップ板と、このステップ板を常時ほぼ水平状態に保持でき、前記目地部が狭くなると該ステップ板の先端部を下方へ回動可能に支持するステップ板支持機構と、このステップ板支持機構のステップ板をほぼ水平状態に保持する状態をロックするとともに、前記目地部が狭くなると前記他方の目地部側の躯体とステップ板が当接する前に当接するセンサーレバーの作動により前記ロック状態を解除するロック機構とで構成されているので、目地部のほぼ幅寸法分の大きさの揺れ動きが生じても、突出躯体とステップ板とによって目地部の上部を確実に覆うことができる。
したがって、目地部への脱落事故を確実に防止できる。
【００２４】
（２）前記（１）によって、目地部のほぼ幅寸法がなくなるように揺れ動いた場合、他方の目地部側の躯体との当接によってロック機構が作動して、ステップ板支持機構のロック状態を解除して、ステップ板を一方の目地部側の躯体へ回動させて収納することができる。
したがって、ステップ板の厚さ寸法よりもわずかに厚い寸法を除く寸法だけ移動が可能となり、大きな揺れ動きを吸収することができる。
【００２５】
（３）前記（１）によって、他方の目地部側の躯体によってロック機構を作動させることができる。
したがって、確実に作動させることができるとともに、機械的に作動させることができ、比較的安価に製造することができる。
【００２６】
（４）請求項２も前記（１）〜（３）と同様な効果が得られる。
【図面の簡単な説明】
【図１】本発明の第１の実施の形態の設置状態の説明図。
【図２】図１の２−２線に沿う拡大断面図。
【図３】図１の３−３線に沿う断面図。
【図４】本発明の第１の実施の形態のステップ板の説明図。
【図５】本発明の第１の実施の形態のステップ板支持機構の説明図。
【図６】本発明の第１の実施の形態のロック機構の説明図。
【図７】本発明の第１の実施の形態の目地部が広くなった動作説明図。
【図８】本発明の第１の実施の形態の目地部が狭くなる初期の動作説明図。
【図９】本発明の第１の実施の形態の目地部が狭くなった動作説明図。
【図１０】本発明の第２の実施の形態の設置状態の説明図。
【図１１】図１０の１１−１１線に沿う拡大断面図。
【図１２】本発明の第２の実施の形態のステップ板の説明図。
【図１３】本発明の第３の実施の形態の設置状態の説明図。
【図１４】図１３の１４−１４線に沿う拡大断面図。
【図１５】本発明の第３の実施の形態のステップ板の説明図。
【図１６】本発明の第４の実施の形態の設置状態の説明図。
【図１７】図１６の１７−１７線に沿う拡大断面図。
【図１８】図１６の１８−１８線に沿う断面図。
【図１９】本発明の第４の実施の形態のロック機構の説明図。
【図２０】本発明の第５の実施の形態の設置状態の説明図。
【図２１】図２０の２１−２１線に沿う拡大断面図。
【図２２】図２０の２２−２２線に沿う断面図。
【符号の説明】
１、１Ａ、１Ｂ、１Ｃ、１Ｄ：目地装置、
２：目地部、            ３：一方の躯体、
４：他方の躯体、        ５：突出躯体、
６：ヒンジ部材、        ７、７Ａ、７Ｂ：ステップ板、
８、８Ａ、８Ｂ：ステップ板支持機構、
９、９Ａ、９Ｂ：ロック機構、
１０：切欠部、          １１：ステップ板本体、
１２：開口部、          １３：補強フレーム、
１４：ビス、            １５：支持レール、
１６：ローラー、        １７：スライドレール、
１８：自在継手、        １９：自在継手、
２０、２０Ａ：支持アーム、
２１：付勢スプリング、  ２２：枢支ピン、
２３：センサーレバー、  ２４：ガイド部材、
２５：作動杆、          ２６：ガイド筒、
２７、２７Ａ：ロック片、２８：係止部、
２９：ガイド部、        ３０：係止片、
３１：ローラー、        ３２：支持部材、
３３：枢支ピン、        ３４：継手、
３５：ガイド部材、      ３６：付勢スプリング、
３７：ロックバー、      ３８：支持金具、
３９：枢支ピン、        ４０：付勢スプリング、
４１：ガイド部材、      ４２：作動杆。
【図１】
0003587374.tif 000002
【図２】
0003587374.tif 000003
【図３】
0003587374.tif 000004
【図４】
0003587374.tif 000005
【図５】
0003587374.tif 000006
【図６】
0003587374.tif 000007
【図７】
0003587374.tif 000008
【図８】
0003587374.tif 000009
【図９】
0003587374.tif 000010
【図１０】
0003587374.tif 000011
【図１１】
0003587374.tif 000012
【図１２】
0003587374.tif 000013
【図１３】
0003587374.tif 000014
【図１４】
0003587374.tif 000015
【図１５】
0003587374.tif 000016
【図１６】
0003587374.tif 000017
【図１７】
0003587374.tif 000018
【図１８】
0003587374.tif 000019
【図１９】
0003587374.tif 000020
【図２０】
0003587374.tif 000021
【図２１】
0003587374.tif 000022
【図２２】
0003587374.tif 000023